(57)【要約】【課題】押し花の色合いを充分に発揮できるとともに、写真等の掲示物のセットが容易な押花装飾額の提供を目的とする。【解決手段】額枠側に配置する透明パネルと、透明パネルの裏面側に配置する押し花と梨地透明フィルムと掲示物配置部と防湿部材とを備え、透明パネルの裏面には、押し花を挟んで梨地透明フィルムを密着してあり、梨地透明フィルムとその裏側に配置する防湿部材との間に掲示物配置部を形成してあることを特徴とする。  なお、梨地透明フィルムの代りに水分非浸透性フィルムを用いると、その裏側の防湿部材が不要になる。【選択図】  図１
2006341584.tif 000002
【特許請求の範囲】
【請求項１】
額枠側に配置する透明パネルと、透明パネルの裏面側に配置する押し花と梨地透明フィルムと掲示物配置部と防湿部材とを備え、
透明パネルの裏面には、押し花を挟んで梨地透明フィルムを密着してあり、梨地透明フィルムとその裏側に配置する防湿部材との間に掲示物配置部を形成してあることを特徴とする押花装飾額。
【請求項２】
梨地透明フィルムの表側に、開口部を有する中枠を設け、中枠の開口部に梨地透明フィルムの裏側から掲示物が臨むようにしたことを特徴とする請求項１記載の押花装飾額。
【請求項３】
額枠側に配置する透明パネルと、透明パネルの裏面側に配置する押し花と、水分非浸透性フィルムとを備え、透明パネルの裏面に押し花を挟んで水分非浸透性フィルムを密着してあり、この水分非浸透性フィルムの裏側に掲示物配置部を形成してあることを特徴とする押花装飾額。
【請求項４】
透明パネルの裏面に押し花を挟んで水分非浸透性フィルムを密着させる手段は、減圧又はラミネート加工によるものであることを特徴とする請求項３記載の押花装飾額。
【発明の詳細な説明】
【技術分野】
【０００１】
本発明は、写真等の掲示物を押し花で装飾した押花装飾額に関する。
【背景技術】
【０００２】
葬儀や法要においては、遺影を入れた額が用いられるとともに、周囲を花で飾る場合が多い。
最近では、遺影の周囲を押し花等で飾るニーズが増している。
また、スナップ写真を額に入れて押し花で飾るニーズもある。
この場合に、厚みのある押し花又は押し花に葉を部分的に重ねて立体的に飾ったり、花や葉の色合いを長期にわたって維持する必要がある。
【０００３】
特開２００４−９８４９７号公報には、ＰＥＴ製の２枚透明板の間に押し花を挟む技術を開示し、２枚ＰＥＴ板で押し花を挟むと押し花がつぶれて立体感が出ないので、表側のＰＥＴ板に押し花に合わせてエンボス加工をしている。
これでは押し花の配置に制限できるだけでなく、ＰＥＴの表面の凹凸による反射光にて押し花の色合いが充分に発揮されない問題がある。
また、ＰＥＴには透湿性がないが隙間から湿気が浸入する恐れがあり、押し花の乾燥状態を長期に維持するのに必要とされる乾燥剤を２枚のＰＥＴの間に入れるのは難しい。
【０００４】
【特許文献１】特開２００４−９８４９７号公報
【発明の開示】
【発明が解決しようとする課題】
【０００５】
本発明は、上記技術的課題に鑑みて押し花の色合いを充分に発揮できるとともに、写真等の掲示物のセットが容易な押花装飾額の提供を目的とする。
【課題を解決するための手段】
【０００６】
本発明に係る押花装飾額は、額枠側に配置する透明パネルと、透明パネルの裏面側に配置する押し花と梨地透明フィルムと掲示物配置部と防湿部材とを備え、透明パネルの裏面には、押し花を挟んで梨地透明フィルムを密着してあり、梨地透明フィルムとその裏側に配置する防湿部材との間に掲示物配置部を形成してあることを特徴とする。
【０００７】
ここで透明パネルとは、額枠に嵌装し表側面となるパネルである。
なお、本発明においては額の正面を表側とする。
透明パネルは、ガラス板や透明な樹脂板他等の略矩形の板である。
梨地透明フィルムとは、フィルム表面に微少の凹凸を形成することで光が散乱し、すりガラス調に仕上げた樹脂フィルムをいい、梨地透明フィルムを一枚単独で透かして見ると白っぽくくもっているが、パネル材等に密着すると透明に見える性質を有する。
従って、透明パネルの裏面に押し花を挟むように梨地透明フィルムを密着させると、押し花の出っ張りを包むように透明パネル側に貼り付く。
この際に、梨地透明フィルムは表面光沢が無いので、押し花の周囲に押し花の隆起に沿って押し花がぼけるような反射光が生じることが無くなる。
換言すると、例えば、ポリエチレンフィルムのように表面が滑らかなフィルムで物品を包むと、フィルムの凹凸面に光の反射光（反射模様）が現れるが、梨地透明フィルムでは光が散乱して特定の反射光が生じないようになることをいう。
【０００８】
透明パネルの裏面に押し花を挟むように梨地透明フィルムを配置し、透明パネルと梨地透明フィルムの間を吸引して減圧すると押し花を包み込むように密着する。
この場合に、減圧等により梨地透明フィルムが透明パネルに密着すると同時に、押し花を透明パネル側に均一に押し付けるので押し花が表から綺麗に映る。
また、押し花がある程度うすい場合には、透明パネルと梨地透明フィルムの間に押し花を挟んでラミネート装置に通してもよい。
この場合にも透明パネルがガラス板や厚さのある透明樹脂にすることで、梨地透明フィルムが押し花の隆起に追随するので額にした状態で表面側は平滑に仕上がる。
【０００９】
梨地透明フィルムの裏面側に写真や人物画、動物画等の掲示物を配置し、掲示物の裏側からアルミ箔や成型樹脂ケース等の防湿部材で少なくとも押し花部分を覆う。
これにより、押し花が吸湿するのを防ぐ。
【００１０】
額枠の開口部大きさよりも写真等の掲示物が小さい場合には、梨地透明フィルムの表側に開口部を有する中枠（台紙）を配置し、中枠の表側に押し花を配置し、梨地透明フィルムと透明パネルを密着し、掲示物を中枠の開口部に臨ませるとよい。
【００１１】
梨地透明フィルムは、長期的にみると水分を透過するので防湿部材で裏側を覆うだけでなく、梨地透明フィルムと防湿部材との間に乾燥剤を配設するとよい。
また、押し花の初期乾燥を目的とする場合には、中枠の裏側に乾燥剤を配設してもよい。
【００１２】
梨地透明フィルムの代りに水分を透過しない、例えば、粘土を主成分とした水分非浸透性フィルムを用いると、この水分非浸透性フィルムの裏側に防湿部材が不要になり構造が簡単になる。
この場合には、透明パネルと水分非浸透性フィルムの間に押し花等を挟み込むことになる。
水分非浸透性フィルムを透明パネルに密着する方法には、減圧やラミネート加工等を用いることができる。
【発明の効果】
【００１３】
本発明においては、透明パネルと梨地透明フィルムとで押し花を挟むようにしたので、梨地透明フィルムが押し花の隆起部を包み込むように透明パネルに密着するので、表側からは押し花の周囲に反射光が生じることがなく、押し花が額の正面に鮮明に現れる。
【００１４】
梨地透明フィルムと防湿部材の間に乾燥剤を配設すると、長期的にみて梨地透明フィルムに透水性があっても押し花の吸湿を防止し、長期に押し花の色合いを維持できる。
また、梨地透明フィルムの代りに水分非浸透性フィルムを用いると防湿部材が不要になる。
【発明を実施するための最良の形態】
【００１５】
図１に本発明に係る押花装飾額の基本的構成の例を示す。
木製、樹脂製、金属製等の額枠１に透明パネル２を嵌装する。
透明パネル２は、透明である程度剛性があればガラス板、樹脂板等、材質を問わない。
梨地透明フィルム５の表面に、直接、押し花３を配置してもよいが、中枠（台紙）４を梨地透明フィルム５の表側に配設し、押し花３で飾り付ける。
中枠４の中央部には開口部４ａを形成し、この開口部４ａに写真６が臨むように梨地透明フィルム５の裏側に写真６を配置する。
なお、写真６は遺影でもスナップ写真でもよく、掲示物であれば画でもよい。
写真６の裏側には、板状又は厚みのうすい乾燥剤７を配置し、その裏側から防湿部材８で押し花３の配置部を包み込むようにして透明パネル２の外周側縁部と接着する。
防湿部材８は、アルミ箔でも樹脂成型体でもよい。
このように配置した押花装飾額の断面図を図２（イ）に示す。
透明パネル２に押し花３を挟むように梨地透明フィルム５を密着するには、隙間から吸引減圧すればよく、その状態を模式的に図３に示す。
梨地透明フィルム５が押し花３の隆起を包み込むように変形するが、梨地になっているので隆起部ａに反射光（反射模様）が生じることなく、押し花３の色合いがそのまま押花装飾額正面に現れる。
図１において、梨地透明フィルム５の代りに水分を透過しない水分非浸透性フィルムを用いると、乾燥剤７及び防湿部材８が不要になり構造が簡単になる。
【００１６】
本発明において梨地透明フィルムを用いたのは、押し花の周囲の反射光を消すためである。
従って、図１において例えば、透明パネル２の裏側に梨地透明フィルムを貼り付け、押し花をパネル側に押える裏側のフィルムはＰＥＴの透明フィルムを用いてもよい。
【００１７】
また、図２（イ）に示すように梨地透明フィルム５と防湿部材８との間に写真（掲示物）配設部を形成してあり、防湿部材８の開口部８ａから写真６を挿入する。
なお、防湿部材８がアルミ箔の場合には、開口部８ａを写真６挿入時に切りさき形成し、写真６挿入後にアルミテープ等でシールしてもよく、防湿部材８が樹脂成型体であれば成型時に開口部８ａを形成し、アルミテープでシールしてもよい。
また、先に述べたように梨地透明フィルムの代りに水分非浸透性フィルムを用いるとこの防湿材は不要になる。
【００１８】
図２（ロ）に示すように、梨地透明フィルム５側に、予め板状の乾燥剤７の配置部５ａや中枠４の裏側に乾燥剤７ａの配置部５ｂを形成しておいてもよい。
透明パネル、梨地透明フイルム、防湿部材等の外周部側は相互に接着剤９等で接着する。
【００１９】
図４（イ）に示すように、梨地透明フィルム５に中枠４相当部分を印刷５ｃして形成してもよく、図４（ロ）に示すように、中枠４の開口部４ａを塞ぐように梨地透明フィルム５を貼り付けてもよい。
【００２０】
図５に示すように、梨地透明フィルム５を袋状に形成し、押し花３、中枠４を配置し、袋状の一部を折り返して板状の乾燥剤７の配置部５ａ等を一体的に形成してセット化すると、額枠１及び透明パネル２と組み立て、裏側を防湿部材８で覆うだけで押花装飾額が完成する。
なお、図５においても梨地透明フィルム５の代りに水分非浸透性フィルムを用いると裏側の防湿部材８が不要になる。
このように、セット化するとセレモニーセンター等で写真６を入れるだけでよくなり、ニーズへの対応が早くできる。
また、必要に応じて裏板（表示省略）を取り付けてもよい。
この場合には、袋状の裏側の梨地透明フィルム５と透明パネル２とで押し花３を挟み込むように梨地透明フィルム５と透明パネル２の間を減圧することになる。
【００２１】
防湿部材８の縁部と透明パネル２との接着剤１０による接着例を図６に示す。
中枠４を紙等で形成すると接着剤１０がしみ込み、表面側に出るので見映えが悪くなることがある。
その場合に、中枠４に接着剤１０が付かないようにフィルム１１を当ててもよく、額枠１に既設のガラス板等の裏側に、図６（ロ）に示すようにセットする場合には、接着部を隠す隠蔽部材１２を配設すると額枠１の内側のかかり幅Ｌ１が接着剤の幅Ｌ３より小さくても隠蔽部材１２の幅Ｌ２で隠蔽できるので、各種一般額も使用可能になる。
さらには、写真等を額に入れない場合には、一般的な押し花額としても使用できる。
【図面の簡単な説明】
【００２２】
【図１】本発明に係る押花装飾額の構成例を示す。
【図２】押花装飾額の断面図を示す。
【図３】透明パネルと梨地透明フィルムの密着部の拡大図を示す。
【図４】梨地透明フィルムの展開例を示す。
【図５】梨地透明フィルムを袋状に形成した例を示す。
【図６】透明パネルと防湿部材との接着部を示す。
【符号の説明】
【００２３】
１    額枠
２    透明パネル
３    押し花
４    中枠（台紙）
４ａ  開口部
５    梨地透明フィルム
５ａ、５ｂ  配置部
６    写真
７    板状の乾燥剤
７ａ  乾燥剤
８    防湿部材
８ａ  開口部
９、１０  接着剤
１１  フィルム
１２  隠蔽部材
【図１】
2006341584.tif 000003
【図２】
2006341584.tif 000004
【図３】
2006341584.tif 000005
【図４】
2006341584.tif 000006
【図５】
2006341584.tif 000007
【図６】
2006341584.tif 000008